(57)【要約】【課題】閲覧可能な情報の確認や閲覧したい情報の探索を容易にする。【解決手段】エリア２４では、ファイル表示エリア２８にＴＶ番組が、リスト表示エリア２７にチャンネルリスト２７ａが夫々表示されている。また、エリア３５には、ライブラリに登録されている録画済番組ファイルやカメラからの動画ファイル，静止画ファイルなどのジャンルのうちの１つのジャンルのファイルの紹介情報２１のリスト３７が表示されており、紹介情報２１をクリックすると、それに該当するファイルがファイル表示エリア２８で画像表示され、そのジャンルのファイルリストがリスト表示エリア２７に表示される。タブ切替ボタン１４ａ〜１４ｄのいずれかを選択すると、エリア２４で画像表示されるファイルの種類が切り替わり、タブ切替ボタン１５ａ，１５ｂのいずれかを選択すると、エリア３５の表示がライブラリファイルのリストまたはＴＶ番組表に切り替わる。【選択図】        図４
2004221672.tif 000002
【特許請求の範囲】
【請求項１】
異なるジャンルの情報のファイルをライブラリに登録して保存したファイル保存手段を備え、該ライブラリのファイルを適宜閲覧可能とした情報閲覧装置であって、
該ファイル保存手段に保存されている該ライブラリのファイルのうちのジャンル毎に代表となる１以上の該ライブラリのファイルに対して、その画像とコメントとからなる紹介情報が作成されており、
該紹介情報をそれに該当する該ライブラリのファイルを選択するためのメニュー項目とし、該メニュー項目のリストからなるメニュー画面をスクロールさせながら表示部で表示させる手段を備えたことを特徴とする情報閲覧装置。
【請求項２】
請求項１において、
前記メニュー画面では、前記夫々のジャンルの前記メニュー項目がランダムに配列されて表示されることを特徴とする情報閲覧装置。
【請求項３】
請求項１において、
ＴＶ（テレビ）番組表を受信する受信手段を備え、
前記メニュー画面では、前記ライブラリのファイルの紹介情報の前記リストと受信した該ＴＶ番組表とをエリアを異ならせて表示することを特徴とする情報閲覧装置。
【請求項４】
表示部の表示画面を第１，第２のエリアに２分して、該第１のエリアをファイルの選択のためのファイルリストを表示するエリアとし、第２のエリアを該第１のエリアのファイルリストで選択されたファイルの画像を表示するエリアとし、
かつ該第１のエリアでは、種類が異なるファイルのリストを切り替えるための第１の切替手段が設けられ、該第２のエリアでは、画像表示するファイルの種類を切り替える第２の切替手段が設けられていることを特徴とする情報閲覧装置。
【請求項５】
請求項４において、
前記ファイルの種類は、受信ＴＶ（テレビ）番組ファイル，ライブラリに登録されているライブラリファイル及びディスク状記録媒体から取り込むディスクファイルであって、
前記第２のエリアで受信ＴＶ番組ファイルもしくはライブラリファイルもしくはディスクファイルの画像表示をするとき、前記第１のエリアに表示する前記ファイルリストがＴＶ番組表，該ライブラリファイルの紹介情報のリストのいずれか一方であることを特徴とする情報閲覧装置。
【請求項６】
請求項４または５において、
前記第２のエリアでは、前記第１のエリアで表示されるリストで選択されたファイルが画像表示されることを特徴とする情報閲覧装置。
【発明の詳細な説明】
【０００１】
【発明の属する技術分野】
本発明は、ＴＶ（テレビ）番組の受信や携帯型カメラからの画像情報の取得・記憶などの機能を備え、かかる情報を適宜閲覧できるようにした情報閲覧装置に関する。
【０００２】
【従来の技術】
ＴＶ受像機でＴＶ番組を見る場合、現在放送されるＴＶ番組を知るために、あるいは興味がありそうなＴＶ番組を探すのに、通常新聞や雑誌などに載っているＴＶ番組表を見るものであるが、近年では、ＴＶ番組の放送信号にＴＶ番組情報が重畳あるいは多重化されて送信されるようになってきており、かかるＴＶ番組情報を受信し、このＴＶ番組情報からＴＶ番組表を作成して画面表示するようにした技術も提案されている（例えば、特許文献１参照）。
【０００３】
かかるＴＶ番組情報は、各ＴＶ番組のタイトルや詳細情報，放送時間，チャンネル，番組のカテゴリ（映画，スポーツ，ドラマなど）からなるものであるが、特許文献１では、通常の番組表と同様に、各チャンネルの各時間毎の放送ＴＶ番組を一覧で示す形態の番組表としたり、あるいはカテゴリ別に全てのチャンネルのＴＶ番組を区分して表示する形態の番組表としたりし、ＴＶ番組に重畳して表示するものであるが、特に、カテゴリが「映画」であるＴＶ番組の場合には、その映画のタイトルを番組表に載せるようにすることにより、番組表内の限られたエリアにその映画の内容を推測できる表示をするものである。
【０００４】
【特許文献１】
特開平１１ー２６１９７６号公報
【０００５】
【発明が解決しようとする課題】
ところで、近年、ＴＶ受像機の多様化が進み、ＴＶ番組の受信や録画ばかりでなく、携帯型カメラの情報を取り込んでこれを画像表示したり、ＤＶＤなどのディスク状記録媒体（以下、ディスクという）の記録情報を取り込んで画像表示したりする機能が付加されるようになってきている。
【０００６】
また、ＰＣ（Ｐｅｒｓｏｎａｌ  Ｃｏｍｐｕｔｅｒ）も同様であり、ＰＣ本来の機能ばかりでなく、ＴＶ番組を受信したり、携帯型カメラの情報を取り込んだり、ディスクからの情報を取り込んだりし、これら取り込んだ情報を適宜画面表示して閲覧できるようにした機能が付加されるようになってきている。
【０００７】
このように、ＴＶ受像機やＰＣが多機能化すると、取り扱う情報の種類や量が非常に多くなる。このような場合、上記の特許文献１に記載の番組表のように、閲覧可能な情報のリストを作成して表示し、このリストの中から所望とする情報の項目を選び出すことにより、その情報を画像表示させるようにすることが考えられるが、このリストも大規模なものとなり、希望する情報の検索が非常に難しいものとなるし、どのような情報が閲覧可能であるかを知ることさえも難しいものとなる。
【０００８】
本発明の目的は、かかる問題を解消し、閲覧可能な情報の確認や閲覧したい情報の探索を容易に行なうことを可能とした情報閲覧装置を提供することにある。
【０００９】
【課題を解決するための手段】
上記目的を達成するために、本発明は、異なるジャンルの情報のファイルをライブラリに登録して保存し、このライブラリのファイルを適宜閲覧可能としたものであって、保存されているライブラリのファイルのうちのジャンル毎に代表となる１以上の該ライブラリのファイルに対して、その画像とコメントとからなる紹介情報が作成されており、紹介情報をそれに該当するライブラリのファイルを選択するためのメニュー項目とし、該メニュー項目のリストからなるメニュー画面を表示部で表示させるものである。
【００１０】
メニュー画面では、夫々のジャンルの前記メニュー項目がランダムに配列されて表示されるものである。
【００１１】
また、ＴＶ番組表を受信可能とし、メニュー画面では、ライブラリのファイルの紹介情報のリストと受信したＴＶ番組表とをエリアを異ならせて表示するものである。
【００１２】
上記目的を達成するために、本発明は、表示画面を第１，第２のエリアに２分して、第１のエリアをファイルの選択のためのファイルリストを表示するエリアとし、第２のエリアを該１のエリアのファイルリストで選択されたファイルの画像を表示するエリアとし、かつ第１のエリアでは、種類が異なるファイルのリストを切り替え可能とし、第２のエリアでは、画像表示するファイルの種類を切り替え可能とするものである。
【００１３】
また、ファイルの種類は、受信ＴＶ番組ファイル，ライブラリに登録されているライブラリファイル及びディスク状記録媒体から取り込むディスクファイルであって、第２のエリアで受信ＴＶ番組ファイルもしくはライブラリファイルもしくはディスクファイルの画像表示をするとき、第１のエリアに表示するファイルリストがＴＶ番組表，ライブラリファイルの紹介情報のリストのいずれか一方であるものである。
【００１４】
また、第２のエリアでは、第１のエリアで表示されるリストで選択されたファイルが画像表示されるものである。
【００１５】
【発明の実施の形態】
以下、本発明の実施形態を図面を用いて説明する。    
図１は本発明による情報閲覧装置の一実施形態を示す概略構成図であり、１はＣＰＵ（Ｃｅｎｔｒａｌ  Ｐｒｏｃｅｓｓｉｎｇ  Ｕｎｉｔ）、２は表示部、３は入力部、４はディスクドライブ、５はハードディスク、６はチューナ、７はカメラ読取部、８はＥＰＧ（Ｅｌｅｃｔｒｏｎｉｃ  Ｐｒｏｇｒａｍ  Ｇｕｉｄｅ：電子番組ガイド）、９はライブラリ、１０はファイル、１０ａは紹介情報、１０ｂはデータ本体、１１は閲覧用プログラムである。
【００１６】
同図において、この実施形態の情報閲覧装置は、ＰＣの機能とともに、ＴＶ（テレビ）番組の受信やＣＤ（Ｃｏｍｐａｃｔ  ｄｉｓｃ）やＤＶＤ（Ｄｉｇｉｔａｌ  Ｖｅｒｓａｔｉｌｅ  Ｄｉｓｃ）などのディスクからのデータ取り込み，携帯型カメラからのデータ取り込みの機能が付加されたものである。
【００１７】
即ち、ＴＶ番組や音声データはチューナ６で受信され、表示部２で表示される。また、入力部３の操作により、受信されたＴＶ番組や音声データをハードディスク５に録画，記録することができ、ハードディスク５で１つのファイルとしてフォルダに保存される。また、録画予約がなされているＴＶ番組も、その予約日時になると、チューナ６で受信され、ハードディスク５で１つのファイルとしてフォルダに保存される。さらに、カメラ読取部７が設けられており、これに携帯型カメラ（ビデオカメラやデジタルのスチルカメラなど）を直接接続することもできるし、この携帯型カメラからその内蔵のカード状メモリを装着することもでき、これにより、かかるカード状メモリに記録されている画像データ（動画データや静止画データなど）を読み取り、ハードディスク５で１つのファイルとしてフォルダに保存される。さらには、入力部３によってインターネット（図示せず）を介して取得したデータ（以下、インターネットデータという）も、ハードディスク５で１つのファイルとしてフォルダに保存される。ディスクドライブ４で取り込んだディスク（図示せず）のデータ（画像データや音楽などの音声データ）は、表示部２で表示される。
【００１８】
これらフォルダがハードディスク５でライブラリ９に登録されているとき、かかるフォルダに保存されているファイルが、後述するように、利用可能となる。
【００１９】
なお、入力部３は、インターネットとの通信手段とともに、キーボードやマウス，リモコンなどの操作手段を含むものである。
【００２０】
また、放送されるＴＶ番組に関する情報（地上波ＴＶ放送でＴＶ信号の垂直帰線期間に付加されるＥＰＧやデジタル衛星放送でＴＶ信号とパケット多重されたＥＰＧ）はチューナ６で受信され、ＲＡＭなどの半導体メモリ７に格納される。
【００２１】
以下では、ライブラリ９に登録済みのフォルダに保存されているファイル１０を対象とするものであるが、これは、上記のようにして入力されたデータが、ファイル１０として、ライブラリ９に登録済みのフォルダに保存されているものであり、各ファイル１０はその紹介情報１０ａとデータ本体１０ｂとで構成されている。また、紹介情報１０ａは、ファイル名とこのファイル１０の案内のためのコメントとこのファイル１０の代表となる画像（例えば、動画データのときには、その最初の画像であり、静止画データのときには、その静止画像）のサムネール（縮小画像）とから構成されている。このファイル名がデータ本体１０ｂに付加された識別符号（図示せず）と関連付けられており、これにより、紹介情報１０ａとこれに該当するデータ本体１０ｂとが対応付けられている。
【００２２】
ここで、チューナ６で受信されて録画されるＴＶ番組や、カメラ読取部７で携帯型カメラ（図示せず）から読み取った動画データや静止画データ（写真など）、入力部３から取り込んだインターネットデータは、夫々１つのファイルとしてフォルダに保存されるが、その保存に際し、かかるデータはその種類に応じてジャンルに区分される。かかるジャンルとしては、ここでは、ＴＶ番組に対する録画済番組ファイル，動画ファイル，静止画ファイル，音声ファイル，インターネットデータファイルとするが、これら以外のジャンルを含めてもよいし、これらのうちのいくつかのものとしてもよい。かかるジャンルは、例えば、ファイル名に含まれるジャンルデータによって表わされる。
【００２３】
ハードディスク５には、また、閲覧用プログラム１１も格納されており、ＣＰＵ１がこの閲覧用プログラム１１を起動することにより、ハードディスク５に格納されているライブラリ９やＥＰＧ８を表示部２で表示して閲覧できるようにし、また、この表示部２で表示されるライブラリ９やＥＰＧ８を利用して、ＴＶ番組の選択やライブラリ９の所望ファイル（データ本体１０ｂ）の閲覧をすることができる。
【００２４】
なお、新規のフォルダを作成し、この新規フォルダに所定のジャンルのファイルを分配するようにすることもできる。例えば、ジャンル毎にフォルダを作成することにより、ジャンル毎にファイルを分類することもできる。
【００２５】
次に、図１に示す実施形態での情報閲覧方法の一具体例について説明する。
【００２６】
いま、ハードディスク５には、ファイル１０のライブラリ９やＥＰＧ８が格納されているものとする。なお、このライブラリ９では、複数のフォルダが登録されていて、各ジャンルのファイルがランダムに夫々のフォルダに保存されていてもよいし（即ち、同じフォルダに複数のジャンルのファイル１０が混在して保存されている）、ジャンル毎にフォルダが設定されており、同じフォルダには、同じジャンルのファイルだけが保存されるようにしてもよい。
【００２７】
電源をオンして情報閲覧装置を起動させると、表示部２に図示しない初期メニュー画面が表示される。この初期メニュー画面には、ＰＣ機能を選択するメニューやＴＶ番組の受信メニュー，ＴＶ番組やライブラリを選択するためのメニューなどの各種メニューが含まれており、これらのいずれかをクリック操作で選択できるようにしている。
【００２８】
そこで、いま、ＴＶ番組やライブラリ９のメニューが選択されたものとすると、ＣＰＵ１が閲覧用プログラム１１を起動し、表示部２に、図２に示すように、ＴＶ番組とライブラリ９の一覧を表わすＡｉｒ画面１２を表示させる。このＡｉｒ画面１２の上辺部と下辺部とに夫々、タブ表示エリア１４，１５が設けられている。上辺部でのタブ表示エリア１４には、Ａｉｒ画面１２に切り替えるための「Ａｉｒ」切替タブ１４ａやＴＶ番組画面に切り替えるための「ＴＶ」切替タブ１４ｂ，ライブラリ画面に切り替えるための「Ｌｉｂｒａｒｙ  Ｖｉｅｗｅｒ（ライブラリ・ビューワー）」切替タブ１４ｃ，ディスクから読み取ったデータを表示するディスク画面に切り替えるための「Ｄｉｓｃ」切替タブ１４ｄなどが、クリック操作可能に表示される。
【００２９】
また、タブ表示エリア１４では、タブセレクタ１６が切替タブ１４ａ〜１４ｄのいずれか１つに重なるように表示されており、このタブセレクタ１６が重なった切替タブが選択された状態にある。Ａｉｒ画面１２では、このタブセレクタ１６により、「Ａｉｒ」切替タブ１４ａが選択された状態にある。
【００３０】
かかるＡｉｒ画面１２では、タブ表示エリア１４，１５間にＴＶ番組／ライブラリ一覧画面１３が表示される。このＴＶ番組／ライブラリ一覧画面１３は、上から順にＴＶ番組欄１７，ライブラリ欄１８，インターネット欄１９に区分されており、さらに、ライブラリ欄１８は、４個のサブ欄１８ａ〜１８ｄに区分されている。
【００３１】
ＴＶ番組／ライブラリ一覧画面１３のＴＶ番組欄１７では、受信可能な各ＴＶ局（チャンネル）の現在放送されているＴＶ番組紹介情報２０が横方向に間隔を空けて配列されてなるＴＶ番組表が表示される。かかるＴＶ番組紹介情報２０はハードディスク５（図１）に格納されているＥＰＧ（電子番組ガイド）８から得られるものであって、ＴＶ番組のサムネール（縮小画像）２０ａとチャンネルや番組カテゴリなどの簡単な紹介からなるコメント２０ｂとから構成されている（なお、サムネール２０ａの代わりに、番組のタイトルとしてもよい）。これにより、ＴＶ番組紹介情報２０をみれば、そのＴＶ番組の内容をある程度把握することができる。
【００３２】
ライブラリ欄１８には、ライブラリ９の全てのジャンル（ここでは、録画済番組ファイル，動画ファイル，静止画ファイル，音声ファイル，インターネットデータファイル）での代表となるファイルの紹介情報（即ち、ライブラリファイル紹介情報）２１のリストが表示される。これらライブラリファイル紹介情報２１は、図１でのハードディスク５に格納されたライブラリ９の紹介情報１０ａを用いたものであり、ジャンル毎に区分して夫々ライブラリ欄１８のサブ欄１８ａ〜１８ｄに配分するようにしてもよいが、ここでは、ジャンルにこだわらずサブ欄１８ａ〜１８ｄにランダムに互いに間隔を空けて配分するようにしている。このライブラリファイル紹介情報２１も、図１に示すライブラリ９の紹介情報１０ａに対応して、サムネール２１ａとコメント２１ｂとからなっている。
【００３３】
インターネット欄１９には、ライブラリ欄１８で表示されるインターネットデータのうちのこの装置の所有者がよく使う、天気予報や乗換案内，検索，スポーツといったようなインターネットデータの紹介情報２２のリストが表示される。このインターネットデータ紹介情報２２も、図１に示すライブラリ９の紹介情報１０ａに対応して、サムネールに対応するショートカット２２ａとコメント２２ｂとからなっている。
【００３４】
ＴＶ番組欄１７，ライブラリ欄１８及びインターネット欄１９は、画面上を右から左方に常時スクロールしており、これにより、表示に選ばれたＴＶ番組紹介情報２０やライブラリファイル紹介情報２１，インターネットデータ紹介情報２２が全て表示されるようにしている。例えば、ＴＶ番組欄１７では、同時に３つのチャンネルのＴＶ番組紹介情報２０が表示可能としているが、ＴＶ番組欄１７がスクロールしているので、他のチャンネルのＴＶ番組紹介情報２０が右側から順次現われて表示され、全てのチャンネルのＴＶ番組紹介情報２０をみることができる。ライブラリ欄１８やインターネット欄１９も同様であり、各ジャンルの選ばれたライブラリファイル紹介情報２１，インターネットデータ紹介情報２２を全て見ることができる。また、各紹介情報２０，２１，２２は互いに間隔を空けて配列表示されているので、互いに詰めて配列表示した場合に比べ、夫々が非常に見易いものとなっている。
【００３５】
ＴＶ番組／ライブラリ一覧画面１３に表示される紹介情報２０，２１，２２のいずれかをクリックすると（タッチ操作するようにしてもよい。以下同様）、クリックされた紹介情報によって紹介されている情報（データ）を表示する画面に移行する。即ち、ＴＶ番組欄１７のいずれかのＴＶ番組紹介情報２０、例えば、１ｃｈ（第１のチャンネル）のＴＶ番組紹介情報２０をクリックすると、このチャンネルのＴＶ番組の映像を表示した、図３に示すＴＶ／ＥＰＧ画面２４が表示部２（図１）に表示される。なお、Ａｉｒ画面１２で「ＴＶ」切替タブ１４ｂをクリックしても、通常のＴＶ受像機のように、この時点より前の最後に見たチャンネルの映像を表示する、図３に示すＴＶ／ＥＰＧ画面２３が表示部２に表示される。
【００３６】
図３において、ＴＶ／ＥＰＧ画面２３は、上下にＴＶエリア２４とＥＰＧエリア２５とに区分されている。ＴＶエリア２４には、その上辺部に図２と同様のタブ表示エリア１４が設けられている。このタブ表示エリア１４を除いたエリアが左右に２分されて、その一方（例えば、左側）のエリアが画像表示エリア２６をなし、他方のエリアがチャンネルリスト表示エリア２７をなしている。画像表示エリア２６は、ＴＶ番組の映像を表示するＴＶ番組表示エリア２８と、各チャンネル（ＴＶ放送局）を選択可能に示す「チャンネル」切替ボタン２９ａや「拡大」ボタン２９ｂ，「戻る」ボタン２９ｃなどの操作ボタンを有する操作エリアとを備えている。チャンネルリスト表示エリア２７には、各ＴＶ局の局名やチャンネル名のリスト２７ａが表示され、クリックすることにより、そのいずれかを選択できるようにしている。
【００３７】
Ａｉｒ画面１２（図２）からこのＴＶ／ＥＰＧ画面２３に切り替わったときには、画像表示エリア２６のＴＶ番組表示エリア２８に、上記のように、Ａｉｒ画面１２のＴＶ番組欄１７で選択されたＴＶ番組紹介情報２０に該当するＴＶ番組、あるいはＡｉｒ画面１２の「ＴＶ」切替タブ１４ｂをクリックしたときのチューナ６（図１）に設定されているチャンネルのＴＶ番組が表示される（これは、従来のＴＶ受像機を電源オンしたときの表示開始状態と同様である）。
【００３８】
このＴＶ番組表示エリア２８で表示されるＴＶ番組を切り替える場合には、画像表示エリア２６で表示される「チャンネル」切替ボタン２９ａをクリック操作してチャンネルを順番に切り替えるようにしてもよいが、見たいＴＶ番組のチャンネル番号が判っている場合には、チャンネルリスト表示エリア２７のチャンネルリスト２７ａからそのチャンネルをクリックすることにより、それを選択するようにしてもよい。このようにチャンネルが選択されると、ＴＶ番組表示エリア２８でこの選択されたチャンネルの番組映像に表示が切り換わる。
【００３９】
なお、このＴＶエリア２４では、そのタブ表示エリア１４で「ＴＶ」切替タブ１４ｂが選択されている。また、画像表示エリア２６での「拡大」ボタン２９ｂをクリックすると、画像表示エリア２６が表示部２（図１）の表示画面全体に拡大して表示される状態となり、かかる表示状態で「戻る」ボタン２９ｃをクリックすると、もとの図３に示すＴＶ／ＥＰＧ画面２３の表示状態に戻る。
【００４０】
また、ＥＰＧエリア２５では、ハードディスク５（図１）に格納されたＥＰＧ８によるＴＶ番組表３０が表示される。このＴＶ番組表３０は、横軸をチャンネル軸とし、縦軸を放送時間軸とする通常の番組表と同様の構成をなしており、上下スクロールバー３１ａをクリック操作することにより、上下方向に、また、左右スクロールバー３１ｂをクリック操作することにより、左右方向に夫々スクロールさせることができる。これにより、１日のＴＶ番組表３０を見ることができる。また、他の日時の番組表を見たい場合には、放送日リスト３２から所望とする日付をクリックして指定する。これにより、ＥＰＧエリア２５に表示されるＴＶ番組表３０が指定された日付の番組表に切り替わる。
【００４１】
このＴＶ番組表３０を用いて、現在放送されているＴＶ番組の中から見たいと思うＴＶ番組を探し出し、そのＴＶ番組のチャンネルをＴＶエリア２４のチャンネルリスト表示エリア２７で選択することにより、ＴＶ番組表示エリア２８にそのチャンネルのＴＶ番組を表示させることができる。また、ＴＶ番組表３０の所望とするＴＶ番組をクリックし、さらに、「予約」ボタン３１ｃをクリックすることにより、そのＴＶ番組の録画予約をすることができる。また、「予約一覧」ボタン３１ｄをクリックすることにより、録画予約しているＴＶ番組のリストをチャンネルリスト表示エリア２７に表示させることができる。かかる予約情報は、例えば、ＣＰＵ１（図１）の内蔵メモリ（図示せず）に保存されており、これにより、予約された日時となると、この録画予約されたＴＶ番組がチューナ６から受信され、ハードディスク５に設定されているフォルダに保存されて録画される。この録画済番組がライブラリ９に登録されるためには、このフォルダが、後述するようにして、ライブラリ９に登録されなければならない。録画済番組ファイルばかりでなく、携帯型カメラから取り込んだデータやインターネットから取り込んだインターネットデータについても、同様である。
【００４２】
ここで、ＥＰＧエリア２５の切替タブエリア１５には、「ＥＰＧ」切替タブ１５ａと「Ｌｉｂｒａｒｙ」切替タブ１５ｂとが表示されており、このときには、タブセレクタ３３により、「ＥＰＧ」切替タブ１５ａが選択された状態にある。
【００４３】
かかるＴＶ／ＥＰＧ画面２３において、ＥＰＧエリア２５のタブ表示エリア１５で「Ｌｉｂｒａｒｙ」切替タブ１５ｂをクリックして選択すると、表示部２（図１）での表示が図４に示すＴＶ／ライブラリ画面３４に切り替わる。
【００４４】
このＴＶ／ライブラリ画面３４は、その上半分にＴＶ／ＥＰＧ画面２３と同じＴＶエリア２４が設定され、下半分にライブラリ表示エリア３５が設定される。つまり、図３に示すＴＶ／ＥＰＧ画面２３でＥＰＧエリア２５のタブ表示エリア１５における「Ｌｉｂｒａｒｙ」切替タブ１５ｂを選択すると、このＥＰＧエリア２５がライブラリ表示エリア３５に切り替わって、ＴＶ／ライブラリ画面３４が得られるのである。
【００４５】
ライブラリ表示エリア３５の上辺部には、ライブラリ９のジャンルを切り替えるためのジャンル切替ボタン、即ち、「録画済番組」切替ボタン３６ａ，「動画」切替ボタン３６ｂ，「静止画」切替ボタン３６ｃ，「音声」切替ボタン３６ｄ及び「インターネット」切替ボタン３６ｅが設けられており、そのいずれか１つが選択された状態にあり（ここでは、ハッチングで示すカーソルにより、「録画済番組」切替ボタン３６ａが選択されてジャンル「録画済番組」が選択されているものとする）、また、他のジャンル切替ボタンをクリック操作することにより、選択するジャンルを切り替えることができる。そして、これらジャンル切替ボタン３６ａ〜３６ｅの下側のエリアには、ジャンル切替ボタン３６ａ〜３６ｅによって選択されたジャンル（ここでは、録画済番組）の紹介情報２１のリスト３７が表示される。この紹介情報リスト３７は、図２で示したライブラリ欄１８に表示されるライブラリファイル紹介情報２１のうちの、ジャンル切替ボタン３６ａ〜３６ｅで選択されたジャンルでのライブラリファイル紹介情報２１からなるものである。ここでは、「録画済番組」切替ボタン３６ａが選択されているものとしているので、ライブラリ欄１８に表示されるライブラリファイル紹介情報２１のうちの録画済番組ファイルのライブラリファイル紹介情報２１である。ジャンル「動画」の紹介情報を見たい場合には、「動画」切替ボタン３６ｂをクリックすればよい。
【００４６】
なお、ジャンルによっては、全てのライブラリファイル紹介情報２１を同時に表示できない場合がある。そこで、同じジャンルの他のライブラリファイル紹介情報２１を見たい場合には、上下スクロールバー３１ａ，左右スクロールバー３１ｂを操作してライブラリファイル紹介情報２１のリストを上下・左右にスクロールさせればよい。
【００４７】
また、紹介情報リスト３７の表示エリアの左側には、ライブラリ９（図１）に登録されているフォルダのリスト３８が表示される。ジャンル切替ボタン３６ａ〜３６ｅの１つ、例えば、「録画済番組」切替ボタン３６ａを選択すると、フォルダリスト３８に挙げられているフォルダに保存されている録画済番組ファイルのうちの代表として指定されたライブラリファイル紹介情報２１が紹介情報リスト３７に表示される。
【００４８】
ライブラリ表示エリア３５の下辺部には、タブ表示エリア１５が設けられたおり、これに「ＥＰＧ」切替タブ１５ａ，「Ｌｉｂｒａｒｙ」切替タブ１５ｂの２つの表示切替タブが表示されている。ライブラリ表示エリア３５では、「Ｌｉｂｒａｒｙ」切替タブ１５ｂがタブセレクタ３３によって選択された状態にある。
【００４９】
かかるＴＶ／ライブラリ画面３４によると、ＴＶエリア２４でＴＶ番組を見ながら、ライブラリ１０の内容をも確認することができる。例えば、図４に示す表示状態でジャンル「動画」のファイル（動画ファイル）を確認したい場合には、「動画」切替タブ３６ｂをクリックすればよく、これにより、フォルダリスト３８に表示されるフォルダの中から代表となる動画ファイルのライブラリファイル紹介情報２１からなる紹介情報リスト３７が表示されることになる。
【００５０】
かかる紹介情報リスト３７の所望とするライブラリファイル紹介情報２１をクリックすると、図５に示すライブラリ・ビューワー／ライブラリ画面３９が表示される。このライブラリ・ビューワー／ライブラリ画面３９では、その下半分に図４に示したＴＶ／ライブラリ画面３４でのライブラリ表示エリア３５がそのまま設定されているが、その上半分は、ライブラリ９での図４のライブラリ表示エリア３５で指定されたライブラリファイルの画像が表示されるライブラリエリア４０が設定されることになる。
【００５１】
ライブラリエリア４０は、その上辺部にタブ表示エリア１４を有し、このタブ表示エリア１４を除いたエリアが左右に２分され、その一方（例えば、左側）のエリアが画像表示エリア４１をなし、他方のエリアがライブラリファイルリスト表示エリア４２をなしている。
【００５２】
画像表示エリア４１は、図３及び図４に示した画像表示エリア２６と同様であるが、ここでは、ライブラリファイル表示エリア４３が設けられ、これにライブラリ表示エリア３５で選択されたファイルの画像（図１に示すデータ本体１０ｂの内容）が表示される。また、この画像表示エリア４１には、図３及び図４での画像表示エリア２６と同様の「チャンネル」切替ボタン２９ａや「拡大」ボタン２９ｂ，「戻る」ボタン２９ｃが設けられている。「ファイル切替」ボタン２９ａをクリック操作すると、現在画像表示エリア４１に表示されているライブラリファイルと同じジャンルでの他のライブラリファイルの画像が切り替えられて表示される。
【００５３】
また、ライブラリファイルリスト表示エリア４２には、現在画像表示エリア４１に表示されているライブラリファイルと同じジャンルのライブラリファイルのリスト４２ａが表示され、そのいずれかをクリックすることにより、１つのライブラリファイルが選択され、そのライブラリファイルの画像をライブラリファイル表示エリア４３に表示させることができる。
【００５４】
このライブラリファイルリスト表示エリア４２の下側にジャンル切替ボタン、即ち、「録画済番組」切替ボタン４４ａ，「動画」切替ボタン４４ｂ，「静止画」切替ボタン４４ｃ，「音声」切替ボタン４４ｄ及び「インターネット」切替ボタン４４ｅが設けられており、そのいずれか１つが選択された状態にあり（ここでは、ハッチングで示すカーソルにより、「録画済番組」切替ボタン４４ａが選択されてジャンル「録画済番組」が選択されているものとする）、また、クリック操作することにより、選択するジャンル切替ボタンを変えることができる。例えば、「動画」切替ボタン４４ｂをクリックすると、ライブラリファイル表示エリア４３にジャンル「動画」に属する１つのファイルの画像が表示されるようになり、また、ライブラリファイルリスト表示エリア４２には、ジャンル「動画」に属するジャンルファイルリスト４２ａが表示される。
【００５５】
なお、このライブラリ・ビューワー／ライブラリ画面３９でも、ライブラリ表示エリア３５において、ジャンルのタブ切替ボタン３６ａ〜３６ｅのうちの希望するジャンルのボタンをクリックしてこのジャンルの紹介情報リスト３７を表示させ、この紹介情報リスト３７の中から所望のライブラリファイル紹介情報２１をクリックして選択することにより、同様にして、ライブラリエリア４０をこのライブラリファイル紹介情報２１に対するファイルやそのジャンルのジャンルファイルリスト４２ａの表示状態とすることができる。
【００５６】
このようにして、ライブラリ９の希望するファイルを、ライブラリエリア４０での「ファイル切替」ボタン２９ａやライブラリファイルリスト表示エリア４２でのジャンルファイルリスト４２ａを用いて、さらには、タブ切替ボタン４４ａ〜４４ｅを用いて選択し、ライブラリファイル表示エリア４３に表示させることができるし、また、ライブラリ表示エリア３５での紹介情報リスト３７を用いて、さらには、タブ切替ボタン３６ａ〜３６ｅを用いて選択し、ライブラリファイル表示エリア４３に表示させることができる。特に、ライブラリ表示エリア３５を利用する場合には、ライブラリファイル表示エリア４３でライブラリファイルの内容を表示したまま次のライブラリファイルを探すことができ、例えば、関連したライブラリファイルを順次見たい場合には、好適である。
【００５７】
なお、図２に示すＡｉｒ画面１２で、タブ表示エリア１４の「Ｌｉｂｒａｒｙ  Ｖｉｅｗｅｒ（ライブラリ・ビューワー）」切替ボタン１４ｃをクリックすると、かかるライブラリ・ビューワー／ライブラリ画面３９に表示が切り替わる。但し、この場合のライブラリ・ビューワー／ライブラリ画面３９では、予め決められたジャンル（例えば、ジャンル「録画済番組」）が選択された状態にあり、ライブラリファイルリスト表示エリア４２に「録画済番組」のジャンルのファイルリスト４２ａが、また、ライブラリ表示エリア３５に「録画済番組」の紹介情報リスト３７が夫々表示されるが、ライブラリファイル表示エリア４３には、画像が表示されておらず（これに対し、このジャンル「録画済番組」の最初のファイルの画像が表示されるようにしてもよい）、ジャンルファイルリスト４２ａあるいは紹介情報リスト３７のいずれかのファイルをクリックすることにより、ライブラリファイル表示エリア４３に画像が表示されるようになる。
【００５８】
このライブラリ・ビューワー／ライブラリ画面３９のタブ表示エリア１５で「ＥＰＧ」切替タブ１５ａをクリックすると、表示部２に図６に示すライブラリ・ビューワー／ＥＰＧ画面４５が表示される。このライブラリ・ビューワー／ＥＰＧ画面４５は、図５に示すライブラリ・ビューワー／ライブラリ画面３９でライブラリ表示エリア３５が図３に示したＥＰＧエリア２５に切り替わったものであり、ライブラリエリアエリア４０のライブラリファイル表示エリア４３でファイルを見ながら、ＴＶ番組表２６ａを見て現在どのようなＴＶ番組が放送されているかの確認などをすることができる。
【００５９】
ディスクドライブ４（図１）にディスク（図示せず）が装着されている状態で、このライブラリ・ビューワー／ＥＰＧ画面４５のタブ表示エリア１４で「Ｄｉｓｃ（ディスク）」切替タブ１４ｄをクリックすると、あるいは図３に示すＴＶ／ＥＰＧ画面２３のタブ表示エリア１４で「Ｄｉｓｃ」切替タブ１４ｄをクリックすると、表示部２に図７に示すディスク／ＥＰＧ画面４６が表示される。
【００６０】
このディスク／ＥＰＧ画面４６は、その上半分にディスクエリア４７が設定され、下半分に図３及び図６に示すＥＰＧエリア２５が設定される。つまり、図６に示すライブラリ・ビューワー／ＥＰＧ画面４５でタブ表示エリア１５における「Ｄｉｓｃ」切替タブ１４ｄを選択すると、そのライブラリエリア４０がディスクエリア４７に切り替わって、ディスク／ＥＰＧ画面４６が得られるのである。
【００６１】
ディスクエリア４７は、その上辺部にタブ表示エリア１４を有し、このタブ表示エリア１４を除いたエリアが左右に２分され、その一方（例えば、左側）のエリアが画像表示エリア４８をなし、他方のエリアがリスト表示エリア４９をなしている。
【００６２】
画像表示エリア４８は、図３及び図４に示した画像表示エリア２６と同様であるが、ここでは、ディスクのファイルを画像表示するディスクファイル表示エリア５０が設けられている。また、この画像表示エリア４８には、図３及び図４での画像表示エリア２６と同様の「拡大」ボタン２９ｂ，「戻る」ボタン２９ｃが設けられている。
【００６３】
ディスクには、動画データや静止画データなどのデータがファイル（以下、ディスクファイルという）として記憶されており、また、これらディスクファイルの記録開始位置などを示すファイルリスト（以下、ディスクファイルリストという）も記録されている。ディスク／ＥＰＧ画面４６（図７）でタブ表示エリア１４での「Ｄｉｓｃ」切替タブ１４ｄがクリックされると、ディスクからこのディスクファイルリスト４９ａが読み出され、リスト表示エリア４９に表示される。このディスクファイルリスト４９ａで所望のディスクファイルをクリックすると、このディスクファイルがディスクから読み取られ、画像表示エリア４８のディスクファイル表示エリア５０で表示される。
【００６４】
ディスク／ＥＰＧ画面４６の下半分はＥＰＧエリア２５であり、これにＴＶの番組表３０が表示されている。これにより、ディスクファイル表示エリア５０でディスクの再生ファイルを見ながら、ＴＶ番組表３０からどのようなＴＶ番組が放送されているのか、また、面白そうなＴＶ番組はどれかなどを知ることができる。
【００６５】
ディスクファイル表示エリア５０でディスクファイルを見ながら、ライブラリ９を覗いて見たい場合には、ディスク／ＥＰＧ画面４６でタブ表示エリア１５の「Ｌｉｂｒａｒｙ」切替タブ１５ｂをクリックすればよい。これにより、ディスク／ＥＰＧ画面４６のＥＰＧエリア２５がライブラリ表示エリア３５に切り替わった図８に示すディスク／ライブラリ画面５１が表示される。
【００６６】
なお、図３に示すＡｉｒ画面１２でそのタブ表示エリア１４の「Ｄｉｓｃ」切替タブ１４ｄをクリックしても、ディスク／ＥＰＧ画面４６（図７）が表示される。あるいはまた、ディスク／ライブラリ画面５１（図８）が表示されるようにしてもよい。
【００６７】
以上のように、表示部２（図１）の表示画面には、Ａｉｒ画面１２（図２）を除いて、その上半分に画像を表示するエリアが、下半分にＴＶ番組やライブラリのリストを表示するエリアが夫々設定され、これらエリアの表示内容を互いに独立に切り替えることができるものであって、表示される画面を見ながら、どのようなファイルがあるのかといった種々の種類のファイルの確認や見たいファイルの探索をすることができる。そして、見たいファイルがあるときには、リストでそのファイルの紹介情報をクリックすることにより、そのファイルの画像表示をさせることができる。
【００６８】
ところで、図１において、チューナ６やカメラ読取部７で取り込んだファイルをライブラリ９に登録するためには、このファイルを保存するフォルダをライブラリ９に登録しなければならない。この登録方法の一具体例を図９により説明する。
【００６９】
まず、図２に示すＡｉｒ画面１２でタグ表示エリア１４の「Ｌｉｂｒａｒｙ  Ｖｉｅｗｅｒ」切替タブ１４ｃをクリックすることにより、図９（ａ）に示すように、図５で示したライブラリ・ビューワー／ライブラリ画面３９を表示させる。なお、先に説明したように、先に示した他の画面でタブ表示エリア１４の「Ｌｉｂｒａｒｙ  Ｖｉｅｗｅｒ」切替タブ１４ｃをクリックし、かつタブ表示エリア１５の「Ｌｉｂｒａｒｙ」切替タブ１４ｃをクリックしても、このライブラリ・ビューワー／ライブラリ画面３９が得られる。
【００７０】
このライブラリ・ビューワー／ライブラリ画面３９には、ライブラリ表示エリア３５の左下角部に「追加」ボタン５２ａが設けられており、この「追加」ボタン５２ａをクリックすると、図９（ｂ）に示すように、フォルダ追加のダイアログボックス５３がポップアップする。このダイアログボックス５３には、ライブラリのフォルダのリスト５４が挙げられており、かかるリスト５４の所望のフォルダをクリックしてチェックマークを付加させ、「ＯＫ」ボタン５５をクリックすると、このクリックされたファルダがライブラリ９に登録される。これにより、図９（ｃ）に示すように、ライブラリ表示エリア３５のフォルダリスト３８にこの登録されたフォルダが表示される。
【００７１】
なお、図９は最初のフォルダをライブラリ９に登録する場合を示すものであり、このフォルダはチューナ６やカメラ読取部７から読み込まれたファイルを保存するのに用いられているものである。他のフォルダに保存されるファイルをＬｉｂｒａｒｙ  Ｖｉｅｗｅｒで閲覧したい場合には、同様にしてそのフォルダをライブラリ９に登録する操作をすればよい。
【００７２】
各フォルダには、各ジャンルのライブラリファイルが混在して保存される。しかし、例えば、図５に示すライブラリ・ビューワー／ライブラリ画面３９などのライブラリ表示エリア３５でジャンル切替ボタン３６ａ〜３６ｅのいずれかをクリックして選択すると、選択されたジャンル切替ボタン３６に該当するジャンルのライブラリファイルがライブラリ９に登録されている全てのフォルダから探索され、その代表となるライブラリファイルの紹介情報が紹介情報リスト３７に表示される。このようにして、ライブラリ９に登録されているフォルダのライブラリファイルがライブラリファイル表示エリア４３での画像表示の対象となり、ライブラリファイル表示エリア４３で画像表示させるためには、そのファイルを保存しているフォルダをライブラリ９に登録しなければならない。
【００７３】
ここで、紹介情報リスト３７に紹介情報２１が表示される各ジャンルの代表となるライブラリファイルは、例えば、各フォルダ毎に選ばれたものである。図１において、例えば、カメラ読取部７で携帯型のビデオカメラの動画データを取り込んだり、携帯型のデジタルスチルカメラの静止画データ（写真データ）を取り込み、さらには、チューナ６で受信したＴＶ番組を録画すると、これらのデータは夫々１つずつのファイルとして（即ち、動画データは動画ファイルとして、静止画データは静止画ファイルとして、また、録画済のＴＶ番組は録画済番組ファイルとして）同じフォルダに保存されるが、このフォルダをライブラリ９に上記のようにして登録すると、この登録フォルダでの動画ファイルの最初に保存されたものがジャンル「動画」の代表となり、同じく静止画ファイルの最初に保存されたものがジャンル「静止画」の代表となり、同じく録画済番組ファイルの最初に保存されたものがジャンル「録画済番組」の代表となり、これら代表ファイルの紹介情報２１が紹介情報リスト３７に表示されることになる。これら代表ファイルはフォルダ毎に設定される。これによると、例えば、観光地などでカメラ撮影した場合、これらの撮影画像データは同じフォルダに保存され、その代表となる１つのライブラリファイルの紹介情報２１が紹介情報リスト３７に表示されるので、この紹介情報２１をクリックすることにより、図４及び図５で説明したように、この観光地などで撮影したファイルを見ることが可能となる。
【００７４】
図２のＡｉｒ画面１２などにおいて、ＴＶ番組紹介情報２０でのサムネール２０ａやコメント２０ｂは、チューナ６（図１）で受信したＥＰＧ（電子番組ガイド）の情報を用いるが、ライブラリ欄１８などに表示されるライブラリファイル紹介情報２１のコメント２１ｂは、ユーザの入力操作によるものである。このコメントの入力操作の一具体例を図１０に示す。
【００７５】
まず、図２に示すＡｉｒ画面１２でタグ表示エリア１４の「Ｌｉｂｒａｒｙ  Ｖｉｅｗｅｒ」切替タブ１４ｃをクリックすることにより、図１０（ａ）に示すように、図５で示したライブラリ・ビューワー／ライブラリ画面３９を表示させる。なお、先に説明したように、先に示した他の画面でタブ表示エリア１４の「Ｌｉｂｒａｒｙ  Ｖｉｅｗｅｒ」切替タブ１４ｃをクリックし、かつタブ表示エリア１５の「Ｌｉｂｒａｒｙ  Ｖｉｅｗｅｒ」切替タブ１４ｃをクリックしても、このライブラリ・ビューワー／ライブラリ画面３９が得られる。
【００７６】
このライブラリ・ビューワー／ライブラリ画面３９において、紹介情報リスト３７でのコメントを変更あるいは新規作成したい所望のファイルのライブラリ紹介情報２１のコメント２１のエリアをクリックし、「更新」ボタン５２ｂをクリックすると、図１０（ｂ）に示すように、コメントのダイアログボックス５６が表示され、このダイアログボックス５６のコメント欄５６ａに所望のコメントを記入して「ＯＫ」ボタン５８をクリックすると、図１０（ｃ）に示すライブラリ・ビューワー／ライブラリ画面３９となり、このライブラリ・ビューワー／ライブラリ画面３９での対象となったコメント２１ｂが更新もしくは新規作成されている。
【００７７】
このようにして、ライブラリ表示エリア３５に表示される紹介情報リスト３７での各紹介情報２１のコメント２１ｂを、ユーザの所望とするものにすることができる。例えば、携帯型カメラから取り込んだ動画ファイルや静止画ファイルの場合には、その撮影場所や撮影日時，被写体の名称などをコメントとすることができる。録画済番組ファイルの場合には、ドラマ，映画といった番組の種類やタイトルなどがコメントとなる。
【００７８】
なお、このコメント２１ｂの更新もしくは新規作成の場合、コメント２１ｂのエリアをクリックすることにより、このクリックされたコメント２１ｂに対するライブラリファイルがライブラリエリア４０のライブラリファイル表示エリア４３に画像表示されるから、この表示画像を見ながら、この表示画像を参考にしてコメントを作成することもできる。
【００７９】
以上のように、上記実施形態によると、ライブラリのファイルに、インターネットを介してダウンロードされたインターネット情報のファイルも１つのジャンルのファイルとして含まれ、かつ該インターネット情報のファイルの少なくとも１以上の代表となるファイルに対して紹介情報が作成されて、メニュー項目として、他のジャンルのメニュー項目とともに、前記メニュー画面に表示されており、メニュー画面では、さらに、インターネット情報のファイルの紹介情報のうちの予め決められた特定のインターネット情報のファイルの紹介情報を、ライブラリのファイルの紹介情報と前記ＴＶ番組表とは異なるエリアに表示させる情報閲覧装置を提供することができる。
【００８０】
また、上記実施形態によると、上記メニュー画面で所定の紹介情報もしくはＴＶ番組表で所定のＴＶ番組を選択すると、選択された紹介情報に該当するライブラリのファイルもしくは選択されたＴＶ番組を画像表示するとともに、ライブラリのファイルが画像表示されるときには、そのライブラリのファイルが属するジャンルでの全てのライブラリのファイルのリストも選択可能に表示し、ＴＶ番組が画像表示されたときには、全てのチャンネルのリストが選択可能に表示する情報閲覧装置を提供することができる。
【００８１】
さらに、上記実施形態によると、ライブラリのファイルは、ライブラリに登録されているフォルダに保存されており、同じフォルダには、１以上のジャンルのファイルが混在して保存される情報閲覧装置を提供することができる。
【００８２】
【発明の効果】
以上説明したように、本発明によると、保存された情報（データ）のうちの代表となるファイルの紹介情報のリストがメニュー画面に表示されるものであるから、このメニュー画面に表示されるメニューの個数を少なくできて見易いものとなるし、また、かかる紹介情報はファイルの画像とこのファイルを案内するコメントとからなるものであるから、保存される情報がどのようなものであるかを容易に確認することが可能となる。
【００８３】
また、本発明によると、同じ表示画面にファイルを画像表示するエリアとファイルのリストを表示するエリアとを設け、しかも、これらエリアでは、互いに独立に画像表示するファイルやリストを変更できるものであるから、表示されるファイルの画像を見ながら、他のファイルの確認や探索をすることができ、多機能化をさらに有効に利用できる。
【図面の簡単な説明】
【図１】本発明による情報閲覧装置の一実施形態を示す概略構成図である。
【図２】図１における表示部で表示される画面の第１の具体例を示すである。
【図３】図１における表示部で表示される画面の第２の具体例を示すである。
【図４】図１における表示部で表示される画面の第３の具体例を示すである。
【図５】図１における表示部で表示される画面の第４の具体例を示すである。
【図６】図１における表示部で表示される画面の第５の具体例を示すである。
【図７】図１における表示部で表示される画面の第６の具体例を示すである。
【図８】図１における表示部で表示される画面の第７の具体例を示すである。
【図９】図１に示す実施形態でのファイルを保存するフォルダをライブラリに登録する方法の一具体例を示す図である。
【図１０】図４，図５及び図８に示すライブラリ紹介情報リストでの紹介情報のコメントを入力する方法の一具体例を示す図である。
【符号の説明】
１  ＣＰＵ
２  表示部
３  入力部
４  ディスクドライブ
５  ハードディスク
６  チュース
７  カメラ読取部
８  ＥＰＧ（電子番組ガイド）
９  ライブラリ
１０  ファイル
１０ａ  紹介情報
１０ｂ  データ本体
１１  閲覧用プログラム
１２  Ａｉｒ画面
１３  ＴＶ番組／ライブラリ一覧画面
１４，１５  タグ表示エリア
１４ａ〜１４ｄ，１５ａ，１５ｂ  切替タグ
１７  ＴＶ番組欄
１８  ライブラリ欄
１９  インターネット欄
２０  ＴＶ番組紹介情報
２１  ライブラリ紹介情報
２２  インターネット紹介情報
２３  ＴＶ／ＥＰＧ画面
２４  ＴＶエリア
２５  ＥＰＧエリア
２７  チャンネルリスト表示エリア
２８  ＴＶ番組表示エリア
３０  ＴＶ番組表
３４  ＴＶ／ライブラリ画面
３５  ライブラリ表示エリア
３６ａ〜３６ｅ  ジャンル切替ボタン
３７  紹介情報リスト
３９  ライブラリ・ビューワー／ライブラリ画面
４０  ライブラリエリア
４２  ライブラリファイルリスト表示エリア
４３  ライブラリファイル表示エリア
４４ａ〜４４ｅ  ジャンル切替ボタン
４５  ライブラリ・ビューワー／ＥＰＧ画面
４６  ディスク／ＥＰＧ画面
４７  ディスクエリア
４９  ディスクファイルリスト表示エリア
５０  ディスクファイル表示エリア
５１  ディスク／ライブラリ画面
５２ａ  「追加」ボタン
５２ｂ  「更新」ボタン
５３  フォルダのダイアログボックス
５４  フォルダリスト
５６  コメントのダイアログボックス
５７  コメント欄
【図１】
2004221672.tif 000003
【図２】
2004221672.tif 000004
【図３】
2004221672.tif 000005
【図４】
2004221672.tif 000006
【図５】
2004221672.tif 000007
【図６】
2004221672.tif 000008
【図７】
2004221672.tif 000009
【図８】
2004221672.tif 000010
【図９】
2004221672.tif 000011
【図１０】
2004221672.tif 000012